(57)【要約】【課題】安定して安全に画像読取装置を持ち運ぶことができる。【解決手段】画像読取装置１０は、支柱１２にグリップ１５が装着されている。このため、画像読取装置１０を移設する等のために持ち運ぶ際には、自然と支柱１２のグリップ１５が握られるようになる。画像読取装置１０を持ち運ぶ際には、このグリップ１５が握られるようになるために、撮像部１４への接触が低減されて、撮像部１４のピントずれ等の発生を低減することができる。また、持ち運ぶにあたり画像読取装置１０の掴む箇所が明確となり、また、確実に握ることができるために、画像読取装置１０の落下の発生を低減することができる。また、画像読取装置１０の支柱１２を直接握るよりも、グリップ１５を介して、支柱１２を握ることで、握りやすく、また、しっかりと握ることができる。【選択図】図１
2018201179.tif 000002
【特許請求の範囲】
【請求項１】
帳票が主面に載置される台座と、
前記主面に対向配置され、前記帳票の印字面の画像を撮像する撮像部と、
前記台座の前記主面に設けられ、前記主面から一定の距離を置いて前記撮像部を支持する支柱と、
前記支柱に装着されたグリップと、
を有する画像読取装置。
【請求項２】
前記グリップは、
前記支柱の外面の一部を取り巻き前記支柱の長手方向に平行に横切る間隙を有するグリップカバーと、
前記間隙に取り付けられる蓋カバーと、
を具備する請求項１に記載の画像読取装置。
【請求項３】
前記グリップカバーは、前記間隙を挟んで一対の案内溝が内側にそれぞれ形成され、
前記蓋カバーは、おもて面の両端部に沿って前記案内溝に嵌合する一対のリブ部がそれぞれ形成され、前記グリップカバーと前記支柱との間に前記撮像部側から前記台座側への挿入方向に前記リブ部を前記案内溝にそれぞれ案内させて、前記間隙に取り付けられる、
請求項２に記載の画像読取装置。
【請求項４】
前記案内溝は前記挿入方向に対して先端部側が外側を向くように形成されている、
請求項３に記載の画像読取装置。
【請求項５】
前記リブ部は前記挿入方向の先端部側がテーパ状に形成されている、
請求項３または４に記載の画像読取装置。
【請求項６】
前記蓋カバーは、前記挿入方向の下端部の両側部に凸部がそれぞれ形成され、
前記グリップカバーは、前記蓋カバーが取り付けられた際に、前記凸部が嵌合する凹部が前記間隙の前記挿入方向の下端部にそれぞれ形成されている、
請求項５に記載の画像読取装置。
【発明の詳細な説明】
【技術分野】
【０００１】
本発明は、画像読取装置に関する。
【背景技術】
【０００２】
金融機関では、スタンド型のイメージスキャナ（画像読取装置）が利用されている。スタンド型の画像読取装置は、台座と、カメラと、台座に設けられた、台座上から一定の距離を置いてカメラを支持するスタンド（支柱）とを有している。このようなスタンド型の画像読取装置は、税金、公共料金等の納付書（帳票）を台座上に配置して、台座上の帳票をカメラにより非接触により読み取ることができる。また、読み取った帳票をイメージデータ化し、文字認識、印影イメージの重ね合わせによる印鑑照合処置等が行われている（例えば、特許文献１参照）。
【先行技術文献】
【特許文献】
【０００３】
【特許文献１】特開２０１５−１１５９３４号公報
【発明の概要】
【発明が解決しようとする課題】
【０００４】
しかし、上記スタンド型の画像読取装置では、持ち運ぶ際の掴む箇所が定められていない。したがって、運ぶ人によっては、例えば、スタンド型の画像読取装置のカメラに触れてしまう場合もある。この場合には、カメラのレンズのピントずれ等が生じてしまう可能性がある。または、画像読取装置を持ち運ぶ際の掴む箇所によっては、画像読取装置を確実に保持することができずに、画像読取装置を落下させて破損させてしまうおそれもある。
【０００５】
本発明は、このような点に鑑みてなされたものであり、安定して安全に持ち運ぶことができるスタンド型の画像読取装置を提供することを目的とする。
【課題を解決するための手段】
【０００６】
本発明の一観点によれば、帳票が主面に載置される台座と、前記主面に対向配置され、前記帳票の印字面の画像を撮像する撮像部と、前記台座の前記主面に設けられ、前記主面から一定の距離を置いて前記撮像部を支持する支柱と、前記支柱に装着されたグリップと、を有する画像読取装置が提供される。
【発明の効果】
【０００７】
開示の技術によれば、安定して安全に画像読取装置を持ち運ぶことができる。
【図面の簡単な説明】
【０００８】
【図１】実施の形態の画像読取装置を示す図である。
【図２】実施の形態の画像読取装置に装着されるグリップを構成するグリップカバーと蓋カバーとを示す図である。
【図３】実施の形態のグリップを構成するグリップカバーを示す図（その１）である。
【図４】実施の形態のグリップを構成するグリップカバーを示す図（その２）である。
【図５】実施の形態のグリップを構成する蓋カバーを示す図である。
【図６】実施の形態の画像読取装置の支柱に対するグリップカバーの取り付けを示す図（その１）である。
【図７】実施の形態の画像読取装置の支柱に対するグリップカバーの取り付けを示す図（その２）である。
【図８】実施の形態の画像読取装置の支柱に取り付けたグリップカバーに対する蓋カバーの取り付けを示す図である。
【図９】実施の形態の画像読取装置の支柱に取り付けたグリップカバーに対する蓋カバーの取り付けの詳細を示す図（その１）である。
【図１０】実施の形態の画像読取装置の支柱に取り付けたグリップカバーに対する蓋カバーの取り付けの詳細を示す図（その２）である。
【発明を実施するための形態】
【０００９】
以下、図面を参照して、実施の形態について説明する。
まず、画像読取装置について、図１を用いて説明する。
図１は、実施の形態の画像読取装置を示す図である。
【００１０】
画像読取装置１０は、台座１１と、支柱１２と、読み取りヘッド部１３と、撮像部１４と、グリップ１５とを備えている。
台座１１は、その主面１１ａ上に、帳票等が印字面をおもて面にして載置される。
【００１１】
支柱１２は、棒状で所定の長さを有し、主面１１ａに対して突出するように台座１１の角部に設けられている。なお、台座１１に対して支柱１２を設ける箇所は、角部に限らず、台座１１の縁部上等である。このような支柱１２は、角柱状、円柱状を成している。なお、本実施の形態では、支柱１２は、四角柱の場合を例に挙げて説明している。また、本実施の形態では、支柱１２の図１中左側の外側を主面１２ａとする。
【００１２】
読み取りヘッド部１３は、一端部が支柱１２により支持され、他端部には撮像部１４が設けられている。また、読み取りヘッド部１３は、撮像部１４の周囲に、複数のＬＥＤ（Light Emitting Diode）からなる照明部（図示を省略）を設けることも可能である。このような照明部は、撮像部１４が台座１１に配置された帳票を撮像する際に帳票を照らすことができる。
【００１３】
撮像部１４は、支柱１２により、台座１１の主面１１ａから一定の距離が維持されて読み取りヘッド部１３に取り付けられている。このような撮像部１４は、台座１１に載置された帳票の印字面を撮像する。
【００１４】
グリップ１５は、支柱１２の下端部（図１中下）側に設けられている。また、グリップ１５は、支柱１２に対して位置ずれせず、また、がたつきせずに、強固に装着されている。また、グリップ１５の支柱１２に対する装着位置は、安定して安全に画像読取装置１０を持ち運ぶことを考慮すると、図１のような下端部であることが好ましいが、支柱１２のどこでも構わない。なお、グリップ１５の詳細については後述する。
【００１５】
上記構成を有するスタンド型の画像読取装置１０は、例えば、パーソナルコンピュータ等の情報処理装置（図示を省略）に接続されている。画像読取装置１０は、利用者により操作入力された情報処理装置からの制御信号に基づき、台座１１の主面１１ａ上に載置された帳票の印字面の画像を撮像部１４が取得する。情報処理装置は、画像読取装置１０の撮像部１４が取得した画像が通知されると、利用者の操作入力に応じて、当該画像をイメージデータ化して、文字認識や印影イメージの重ね合わせによる印鑑照合処理等を行う。
【００１６】
このような画像の読み取りを行う画像読取装置１０は、支柱１２にグリップ１５が装着されている。このため、画像読取装置１０を移設する等のために持ち運ぶ際には、自然と支柱１２のグリップ１５が握られるようになる。画像読取装置１０を持ち運ぶ際には、このグリップ１５が握られるようになるために、撮像部１４への接触が低減されて、撮像部１４のピントずれ等の発生を低減することができる。また、持ち運ぶにあたり画像読取装置１０の箇所が明確となり、また、確実に握ることができるために、画像読取装置１０の落下の発生を低減することができる。また、画像読取装置１０の支柱１２を直接握るよりも、グリップ１５を介して、支柱１２を握ることで、握りやすく、また、しっかりと握ることができる。このような画像読取装置１０は、安定して安全に持ち運ぶことができるようになる。
【００１７】
次に、グリップ１５について図２を用いて説明する。
図２は、実施の形態の画像読取装置に装着されるグリップを構成するグリップカバーと蓋カバーとを示す図である。
【００１８】
グリップ１５は、柔軟性のある樹脂材料により構成されており、グリップカバー１５ａ（図２（Ａ））と、蓋カバー１５ｂ（図２（Ｂ））とを有している。このようなグリップ１５は、グリップカバー１５ａを間隙１５ａ６から支柱１２にはめ込む。そして、支柱１２にはめ込まれたグリップカバー１５ａの間隙１５ａ６に蓋カバー１５ｂを取り付ける。このようにしてグリップ１５は支柱１２に装着される。なお、グリップ１５の支柱１２に対する装着方法の詳細については後述する。
【００１９】
また、グリップ１５の縦（図２中上下方向）の長さは、１００ｍｍ程度であることが好ましい。これは、一般男性の握り幅を８０ｍｍ程度として、８０ｍｍ程度に、例えば、２０ｍｍ程度を加えた長さである。
【００２０】
また、台座１１に設けられた支柱１２の取り付け角度に応じて、このようなグリップ１５もまた傾斜して構成される。
次に、このようなグリップ１５の構成の詳細について説明する。
【００２１】
まず、グリップ１５を構成するグリップカバー１５ａの詳細について、図３及び図４を用いて説明する。
図３及び図４は、実施の形態のグリップを構成するグリップカバーを示す図である。
【００２２】
なお、図３（Ａ）は、グリップカバー１５ａの斜視図であり、図３（Ｂ）は、図３（Ａ）に示す矢視Ｙ１におけるグリップカバー１５ａの側面図である。図３（Ｂ）では案内溝１５ａ９，１５ａ１０の形成位置を破線で示している。
【００２３】
また、図４（Ａ）は、グリップカバー１５ａの平面図であり、図４（Ｂ）は、図４（Ａ）に示すグリップカバー１５ａの一点鎖線Ｘ−Ｘにおける断面図である。また、図３（Ｂ）及び図４（Ｂ）に示す破線の矢印は、グリップカバー１５ａに対する蓋カバー１５ｂの挿入方向Ｙ２を表している。
【００２４】
グリップカバー１５ａは、５つの側面部１５ａ１，１５ａ２，１５ａ３，１５ａ４，１５ａ５が一体的に接続されて、断面は略Ｃ形の形状となっており、側面部１５ａ４，１５ａ５の間には間隙１５ａ６が設けられて構成されている。このようにグリップカバー１５ａは、後述するように支柱１２に取り付けた際に支柱１２の長手方向に平行に横切る間隙１５ａ６が形成されている。
【００２５】
支柱１２にグリップ１５が装着された際に、側面部１５ａ１，１５ａ２，１５ａ３，１５ａ４，１５ａ５は持ち運ぶ人から握られることになる。そこで、側面部１５ａ２，１５ａ３の挿入方向Ｙ２の上端部側には滑り止めとしての突起部１５ａ７，１５ａ８がそれぞれ形成されている。なお、滑り止めとしては、この場合に限らず、例えば、グリップカバー１５ａの側面部１５ａ１，１５ａ２，１５ａ３，１５ａ４，１５ａ５の表面を凹凸に加工しておくことも可能である。
【００２６】
また、グリップカバー１５ａの側面部１５ａ４，１５ａ５の内面（裏面）側に案内溝１５ａ９，１５ａ１０がそれぞれ形成されている。このような一対の案内溝１５ａ９，１５ａ１０は、特に、図４（Ｂ）に示されるように、挿入方向Ｙ２に対して（平行ではなく）、挿入方向Ｙ２の先端部側が外側を向いて、ハ字状に側面部１５ａ４，１５ａ５の内面に形成されている。
【００２７】
また、グリップカバー１５ａの側面部１５ａ４，１５ａ５の対向する側の挿入方向Ｙ２の下端部には、第１凹部１５ａ１１，１５ａ１２がそれぞれ形成されている。さらに、グリップカバー１５ａの側面部１５ａ４，１５ａ５の対向する側の挿入方向Ｙ２の上端部には、第２凹部１５ａ１３，１５ａ１４がそれぞれ形成されている。
【００２８】
なお、このようなグリップカバー１５ａの案内溝１５ａ９，１５ａ１０の間の幅Ｗ１は、例えば、３２ｍｍ程度である。また、側面部１５ａ４，１５ａ５の幅Ｗ２は、例えば、３４ｍｍ程度である（図４（Ｂ））。
【００２９】
続けて、グリップ１５を構成する蓋カバー１５ｂの詳細について、図５を用いて説明する。
図５は、実施の形態のグリップを構成する蓋カバーを示す図である。
【００３０】
なお、図５（Ａ）は、蓋カバー１５ｂの正面図、図５（Ｂ）は、蓋カバー１５ｂの斜視図、図５（Ｃ）は、蓋カバー１５ｂの背面図をそれぞれ表している。また、図５（Ｃ）では、蓋カバー１５ｂのリブ部１５ｂ２，１５ｂ３の形成位置を破線で示している。図５（Ｂ）及び図５（Ｃ）に示す破線の矢印もまた、グリップカバー１５ａに対する蓋カバー１５ｂの挿入方向Ｙ２を表している。
【００３１】
蓋カバー１５ｂは、蓋部１５ｂ１と、蓋部１５ｂ１のおもて面に形成されたリブ部１５ｂ２，１５ｂ３並びにスライド部１５ｂ４とを有している。
リブ部１５ｂ２，１５ｂ３は、蓋部１５ｂ１のおもて面の長手方向の縁部に沿って凸状に互いに平行にそれぞれ形成されている。リブ部１５ｂ２，１５ｂ３は、蓋カバー１５ｂをグリップカバー１５ａに取り付けた際には、案内溝１５ａ９，１５ａ１０にそれぞれ嵌合する。リブ部１５ｂ２，１５ｂ３の挿入方向Ｙ２の先端側が先細ったテーパ状に形成されている。
【００３２】
スライド部１５ｂ４は、蓋部１５ｂ１のおもて面の長手方向の中央部に沿って凸状に形成されている。スライド部１５ｂ４は、挿入方向Ｙ２の下端部の側面に第１凸部１５ｂ５，１５ｂ６がそれぞれ形成されている。このような第１凸部１５ｂ５，１５ｂ６は、例えば、リブ部１５ｂ２，１５ｂ３側にそれぞれ突出した凸状を成している。
【００３３】
また、スライド部１５ｂ４は、挿入方向Ｙ２の上端部の側面に第２凸部１５ｂ１０，１５ｂ１１がそれぞれ形成されている。このような第２凸部１５ｂ１０，１５ｂ１１は、例えば、リブ部１５ｂ２，１５ｂ３側にそれぞれ突出した凸状を成している。
【００３４】
このような構成の蓋カバー１５ｂは、リブ部１５ｂ２，１５ｂ３とスライド部１５ｂ４との間に溝部１５ｂ７，１５ｂ８がそれぞれ構成されている。
なお、蓋部１５ｂ１並びにスライド部１５ｂ４の挿入方向Ｙ２の下端部に切り欠き部１５ｂ９が形成されている。切り欠き部１５ｂ９は、後述するように支柱１２に取り付けたグリップカバー１５ａに対して蓋カバー１５ｂを取り付けた際に、支柱１２を台座１１に固定するねじ（図示を省略）の位置に対向する。したがって、支柱１２にグリップ１５を装着した状態で、台座１１に支柱１２を固定するねじを締め直したりすることが可能となる。
【００３５】
また、このような蓋カバー１５ｂのスライド部１５ｂ４の幅Ｗ３は、例えば、３３ｍｍ程度である。溝部１５ｂ７，１５ｂ８の間の幅Ｗ４は、例えば、３０ｍｍ程度である。また、リブ部１５ｂ２，１５ｂ３の間の幅Ｗ５は、例えば、３４ｍｍ程度である（図５（Ｃ））。
【００３６】
次に、このような構成を有するグリップカバー１５ａ及び蓋カバー１５ｂを具備するグリップ１５の画像読取装置１０の支柱１２に対する取り付けについて、図６〜図８を用いて説明する。
【００３７】
図６及び図７は、実施の形態の画像読取装置の支柱に対するグリップカバーの取り付けを示す図であり、図８は、実施の形態の画像読取装置の支柱に取り付けたグリップカバーに対する蓋カバーの取り付けを示す図である。
【００３８】
まず、グリップカバー１５ａの間隙１５ａ６を、図６に示すように、画像読取装置１０の支柱１２に対向させる。そして、グリップカバー１５ａを支柱１２に押圧する。この際、グリップカバー１５ａは柔軟性のある樹脂材料により構成されているために、間隙１５ａ６が支柱１２に押圧されることにより広がる。支柱１２が、広がった間隙１５ａ６からグリップカバー１５ａ内に入り込み、側面部１５ａ４，１５ａ５を通過する。すると、グリップカバー１５ａの弾性力により間隙１５ａ６が元の広さに戻り、側面部１５ａ４，１５ａ５が支柱１２の主面１２ａに係合する。この結果、支柱１２にグリップカバー１５ａが取り巻かれる。支柱１２に取り巻かれたグリップカバー１５ａを、図７に示すように、支柱１２の下端部（台座１１側）に移動させる。
【００３９】
このようにして支柱１２に取り巻かれたグリップカバー１５ａの側面部１５ａ４，１５ａ５と支柱１２の主面１２ａとの間に、図８に示すように、蓋カバー１５ｂを挿入して取り付ける。
【００４０】
ここで、グリップカバー１５ａに対する蓋カバー１５ｂの取り付けの詳細について、図９及び図１０を用いて説明する。
図９及び図１０は、実施の形態の画像読取装置の支柱に取り付けたグリップカバーに対する蓋カバーの取り付けの詳細を示す図である。なお、図９（Ｂ）及び図１０（Ｂ）は、図９（Ａ）及び図１０（Ａ）の一点鎖線Ｘ−Ｘにおける断面図をそれぞれ表している。また、図９及び図１０では支柱１２の記載を省略している。
【００４１】
図９（Ａ）に示すように、支柱１２に取り付けられたグリップカバー１５ａの側面部１５ａ４，１５ａ５と支柱１２の主面１２ａ（図示を省略）との間に、蓋カバー１５ｂを（切り欠き部１５ｂ９が形成されている側から）挿入方向Ｙ２に挿入させる。
【００４２】
この際、図９（Ｂ）に示されるように、蓋カバー１５ｂのリブ部１５ｂ２，１５ｂ３を、グリップカバー１５ａの案内溝１５ａ１０，１５ａ９にそれぞれ挿入させる。さらに、蓋カバー１５ｂのスライド部１５ｂ４を、グリップカバー１５ａの間隙１５ａ６に挿入させる。なお、蓋カバー１５ｂのリブ部１５ｂ２，１５ｂ３の挿入方向Ｙ２の先端部はテーパ状に構成されているために、リブ部１５ｂ２，１５ｂ３は、グリップカバー１５ａの案内溝１５ａ１０，１５ａ９にそれぞれ挿入しやすくなる。また、一点鎖線Ｘ−Ｘにおける位置での蓋カバー１５ｂの溝部１５ｂ７，１５ｂ８は、挿入方向Ｙ２の下端部側であって、幅Ｌ１である。
【００４３】
この状態から、蓋カバー１５ｂを挿入方向Ｙ２にさらに挿入させる。すると、蓋カバー１５ｂのリブ部１５ｂ２，１５ｂ３は、グリップカバー１５ａの案内溝１５ａ１０，１５ａ９に沿って挿入方向Ｙ２に案内される。また同様に、蓋カバー１５ｂのスライド部１５ｂ４が、グリップカバー１５ａの間隙１５ａ６に沿って挿入方向Ｙ２に案内される。
【００４４】
最終的に、図１０（Ａ）に示すように、蓋カバー１５ｂの第２凸部１５ｂ１０，１５ｂ１１が、グリップカバー１５ａの側面部１５ａ４，１５ａ５の第２凹部１５ａ１３，１５ａ１４に嵌合する。さらに、蓋カバー１５ｂの第１凸部１５ｂ５，１５ｂ６が、グリップカバー１５ａの側面部１５ａ４，１５ａ５の第１凹部１５ａ１１，１５ａ１２に嵌合する。このようにしてグリップカバー１５ａに取り付けられた蓋カバー１５ｂは、グリップカバー１５ａにロックされた状態となり、グリップカバー１５ａから容易に外れなくなる。
【００４５】
また、この際、図１０（Ｂ）に示すように、グリップ１５の一点鎖線Ｘ−Ｘにおける位置での蓋カバー１５ｂの溝部１５ｂ７，１５ｂ８（図５参照）は、挿入方向Ｙ２の上端部側であって、幅Ｌ１（図９（Ｂ））よりも狭い幅Ｌ２となる。すなわち、蓋カバー１５ｂのリブ部１５ｂ２，１５ｂ３を、グリップカバー１５ａの挿入方向Ｙ２の先端部側が外側を向いた案内溝１５ａ１０，１５ａ９に案内させることで、グリップカバー１５ａの側面部１５ａ２，１５ａ３が側面部１５ａ４，１５ａ５を介して中心部（間隙１５ａ６）側に引き込まれる。このため、グリップカバー１５ａが支柱１２を締め込み、グリップ１５は支柱１２に固定されるようになる。
【００４６】
また、蓋カバー１５ｂのスライド部１５ｂ４の厚さと、グリップカバー１５ａの側面部１５ａ４，１５ａ５との厚さとは同じである。このため、グリップカバー１５ａに蓋カバー１５ｂが取り付けられると、グリップカバー１５ａの間隙１５ａ６は、スライド部１５ｂ４に埋め合わせられて、グリップ１５の外面（図１０（Ｂ）の下側）は凹凸がなく、平らとなる。
【００４７】
このようにして、グリップカバー１５ａ及び蓋カバー１５ｂを具備する、図１に示すような、グリップ１５を画像読取装置１０の支柱１２に取り付けることができる。
なお、グリップ１５を画像読取装置１０の支柱１２から取り外す際には、まず、蓋カバー１５ｂを挿入方向Ｙ２とは逆方向にスライドさせて、蓋カバー１５ｂをグリップカバー１５ａから取り外す。この際、蓋カバー１５ｂの第１凸部１５ｂ５，１５ｂ６がグリップカバー１５ａの側面部１５ａ４，１５ａ５の第１凹部１５ａ１１，１５ａ１２の嵌合から解除されるように強めにスライドさせる。同様に、蓋カバー１５ｂの第２凸部１５ｂ１０，１５ｂ１１がグリップカバー１５ａの第２凹部１５ａ１４，１５ａ１３の嵌合から解除されるように強めにスライドさせる。
【００４８】
このように蓋カバー１５ｂを取り外した後、グリップカバー１５ａの側面部１５ａ４，１５ａ５を外側にずらして間隙１５ａ６を支柱１２の幅まで広げて、グリップカバー１５ａを支柱１２から遠ざけるように引く。これにより、グリップカバー１５ａを支柱１２から取り外すことができる。
【００４９】
このようにして、グリップカバー１５ａ及び蓋カバー１５ｂを具備するグリップ１５を画像読取装置１０の支柱１２から取り外すことができる。
また、上記では、画像読取装置１０の支柱１２が四角柱であるために、グリップ１５は四角柱の支柱１２の各面に対応する側面部１５ａ１，１５ａ２，１５ａ３，１５ａ４，１５ａ５及び蓋カバー１５ｂを備えている（側面部１５ａ４，１５ａ５及び蓋カバー１５ｂが支柱１２の主面１２ａに対応。側面部１５ａ１，１５ａ２，１５ａ３は支柱１２のその他の面にそれぞれ対応）。したがって、支柱１２が四角柱の場合に限らず、例えば、円柱の場合には、グリップカバー１５ａは、自身を横切る間隙が形成された円筒状であり、上記のグリップカバー１５ａ（図３及び図４）に対応して、間隙の両側の内側には案内溝、また、第１，第２凹部が形成される。蓋カバー１５ｂは、蓋部が円柱状の支柱１２に対応した曲面を成し、上記の蓋カバー１５ｂ（図５）に対応して、リブ部及びスライド部並びに第１，第２凸部が形成される。このように、グリップ１５は、支柱１２の形状に応じて構成される。
【符号の説明】
【００５０】
１０  画像読取装置
１１  台座
１１ａ，１２ａ  主面
１２  支柱
１３  読み取りヘッド部
１４  撮像部
１５  グリップ
１５ａ  グリップカバー
１５ａ１，１５ａ２，１５ａ３，１５ａ４，１５ａ５  側面部
１５ａ６  間隙
１５ａ７，１５ａ８  突起部
１５ａ９，１５ａ１０  案内溝
１５ａ１１，１５ａ１２  第１凹部
１５ａ１３，１５ａ１４  第２凹部
１５ｂ  蓋カバー
１５ｂ１  蓋部
１５ｂ２，１５ｂ３  リブ部
１５ｂ４  スライド部
１５ｂ５，１５ｂ６  第１凸部
１５ｂ７，１５ｂ８  溝部
１５ｂ９  切り欠き部
１５ｂ１０，１５ｂ１１  第２凸部
【図１】
2018201179.tif 000003
【図２】
2018201179.tif 000004
【図３】
2018201179.tif 000005
【図４】
2018201179.tif 000006
【図５】
2018201179.tif 000007
【図６】
2018201179.tif 000008
【図７】
2018201179.tif 000009
【図８】
2018201179.tif 000010
【図９】
2018201179.tif 000011
【図１０】
2018201179.tif 000012